(57)【要約】      （修正有）【課題】柔らかい生コンを広く均す作業や固まりはじめのコンクリート表面を仕上げる作業を、一つの鏝で合理的に行うことができる左官用鏝を提供する。【解決手段】鏝板１の上面側に握り柄を備えた左官用鏝であり、握り柄を高さの異なる上握り柄３と下握り柄４とで構成する。鏝板１の上側に設けた支持脚５に下握り柄４を支持固定する。下握り柄４上に固定された支持脚６に上握り柄３を支持固定する。上握り柄３を下握り柄４よりも長く形成する。【選択図】図１
0003229775.tif 000002
【実用新案登録請求の範囲】
【請求項１】
鏝板の上面側に握り柄が設けられた左官用の鏝において、前記握り柄を高さの異なる上握り柄と下握り柄とで構成したことを特徴とする左官用鏝。
【請求項２】
前記下握り柄は、前記鏝板の上面側に立設した支持脚に固定された請求項１記載の左官用鏝。
【請求項３】
前記上握り柄は、前記下握り柄上に設けた支持脚に支持された請求項１又は２記載の左官用鏝。
【請求項４】
前記上握り柄は前記下握り柄よりも長く形成された請求項３記載の左官用鏝。
【考案の詳細な説明】
【技術分野】
【０００１】
本考案は、基礎や床面などに打設されたコンクリートを均す際に使用する左官用鏝に関するものである。
【背景技術】
【０００２】
一般に、基礎や床面などに打設されたコンクリートを金鏝押さえする工事（床コンクリート直均し仕上げ）では、左官用の鏝を使用して投入時の柔らかい生コン表面を広く均す作業や、固まりはじめのコンクリート表面を平らに均す作業などが行われる。
【０００３】
従来は、一つの鏝を使用してこれらの工事を行っているが、特に、コンクリートが半固化状態の時に砂利等の骨材がコンクリート表面から浮き出して凹凸面が生じることから、特に仕上げ面を平らに均すように構成したコンクリート仕上用鏝が特許文献１に記載されている。
【０００４】
すなわち、打設直後のコンクリートは柔らかいので金鏝面で均した時点では平面であっても、時間の経過によりセメントが硬化し始めると、混入している砂利等がコンクリート表面から浮き出し凹凸面が生じる。そこで、特許文献１に記載の仕上用鏝では、鏝板に砂利などの骨材の大きさよりも小さい透孔を多数配設することで、半固化状態のコンクリート表面に浮き出す凹凸面を平らに均すように構成したものである。
【先行技術文献】
【特許文献】
【０００５】
【特許文献１】実用新案登録第３０５５０２５号公報
【考案の概要】
【考案が解決しようとする課題】
【０００６】
ところが、特許文献１に記載の仕上用鏝では、通常の鏝と仕上用の鏝とを使い分けることになるので、作業者は常に二つの鏝を準備する必要がある。
【０００７】
しかも、時間の経過によりセメントが徐々に硬化する際に、コンクリート打設面が均一に効果するものではない。したがって硬化状態にムラが生じているので、硬化状態に合わせて仕上用鏝を交換する作業は極めて面倒な作業になる可能性がある。
【０００８】
そこで本考案は、上述の課題を解消すべく案出されたもので、基礎や床面などに打設されたコンクリートを金鏝押さえする工事において、柔らかい生コンを広く均す作業や固まりはじめのコンクリート表面を仕上げる作業を、一つの鏝で合理的に行うことができる左官用鏝の提供を目的とするものである。
【課題を解決するための手段】
【０００９】
上述の目的を達成すべく本考案における第１の手段は、鏝板１の上面側に握り柄が設けられた左官用鏝において、前記握り柄を高さの異なる上握り柄３と下握り柄４とで構成したことにある。
【００１０】
第２の手段の前記下握り柄４は、前記鏝板１の上面側に立設した支持脚５に固定されたものとする。
【００１１】
第３の手段の前記上握り柄３は、前記下握り柄４上に設けた支持脚６に支持されるものである。
【００１２】
第４の手段の前記上握り柄３は前記下握り柄４よりも長く形成されたものである。
【考案の効果】
【００１３】
本考案の請求項１によると、鏝板１の上面側に握り柄が設けられた左官用鏝において、握り柄を高さの異なる上握り柄３と下握り柄４とで構成したことで、上握り柄３は柔らかい生コンを広く均す作業に好適になる。一方、下握り柄４は固まりはじめのコンクリート表面を仕上げる作業に好適になる。この結果、柔らかい生コンを広く均す作業や、固まりはじめのコンクリート表面を仕上げる作業を、一つの鏝で合理的に行うことができるものである。
【００１４】
また、打設したセメントの硬化状態にムラが生じている場合は、硬化状態に合わせて上握り柄３や下握り柄４を選択できるので、現場に適応した合理的な使用が可能になる。
【００１５】
請求項２によると、下握り柄４は、前記鏝板１の上面側に立設した支持脚５に固定されるので、下握り柄４を介してコンクリート表面に圧力を加えることができる。したがって、硬化し始めたコンクリート表面を均すのに好適である。
【００１６】
請求項３によると、上握り柄３は、下握り柄４上に設けた支持脚６に支持されるものである。このため、上握り柄３を持つ操作では、下握り柄４を持つ操作よりも広い範囲を均すことが可能になる。したがって、柔らかい生コンを広く均す作業に好適になる。
【００１７】
請求項４のごとく、上握り柄３を下握り柄４よりも長く形成する構成により、鏝板１の操作範囲を更に広げることができるので、柔らかい生コンを広く均す作業をより広範囲に行うことが可能になる。
【００１８】
このように、本考案によると、柔らかい生コンを広く均す作業や、固まりはじめのコンクリート表面を仕上げる作業を、一つの鏝で合理的に行うことができるといった当初の目的を達成した。
【図面の簡単な説明】
【００１９】
【図１】本考案の一実施例を示す斜視図である。
【図２】本考案の使用例を示す側面図である。
【図３】本考案の他の使用例を示す側面図である。
【図４】本考案の他の実施例を示す側面図である。
【考案を実施するための形態】
【００２０】
以下、図面を参照して本考案を詳しく説明する。本考案鏝は、基礎や床面などに打設されたコンクリートを金鏝押さえする際に使用する鏝である。この種の鏝は、鏝板１の上面側に握り柄を設けたものである。
【００２１】
本考案では、この握り柄を、高さの異なる上握り柄３と下握り柄４とで構成している。そして、これら上握り柄３と下握り柄４とを間隔を開けて上下に配置したものである（図１参照）。
【００２２】
すなわち、鏝板１の上面側に立設した支持脚５が下握り柄４を支持固定し、この下握り柄４の上に固定した支持脚６が上握り柄３を支持固定している。図示例では、鏝板１上の背金２上に前後一対の支持脚５を固定し、この支持脚５とは別体の支持脚６を下握り柄４上の前後に一対固定している。また、支持脚５と支持脚６とを同一部材で形成し、支持脚６が下握り柄４を貫通するように構成することも可能である。
【００２３】
また、支持脚５と支持脚６とを帯板状の同一部材で形成し（図示せず）、鏝板１の上側に固定した前後一対の支持脚５と支持脚６とに、下握り柄４と上握り柄３とを任意の高さで固定することも可能である。
【００２４】
更に、下握り柄４の上面側に設ける支持脚６を１本とし、この１本の支持脚６に上握り柄３を支持する構成などに変更することも可能である。このように、上握り柄３や下握り柄４の位置や数、あるいは支持脚５、６による固定手段は図示例に限られず設計変更は任意に行えるものである。
【００２５】
上握り柄３は、鏝板１から離れているのでコンクリート打設初期の柔らかい生コンを広く均す作業に使用する（図２参照）。このため、この上握り柄３を長くするほどより広い範囲を馴らすことが可能になる。図４に示す上握り柄３は、下握り柄４の長さよりも長く形成したものである。すなわち、上握り柄３は、後端部がわを延長することで、作業員からより遠い位置まで鏝板１が届くように構成している。
【００２６】
下握り柄４は、コンクリート打設から時間が経過して硬化がはじまったコンクリートの表面を仕上げる作業に使用する（図３参照）。すなわち、鏝板１に近い下握り柄４に圧力を加えて硬化がはじまったコンクリートの表面を馴らすことで、コンクリート表面から浮き出し凹凸面を効率良く均すことができる。
【００２７】
尚、本考案の実施例は図示例に限られるものではなく、例えば、上握り柄３、下握り柄４の他、鏝板１や背金２、支持脚５、６などの構成や数、形状、材質の変更等は、本考案の要旨を変更しない範囲で自由に変更できるものである。
【符号の説明】
【００２８】
１  鏝板
２  背金
３  上握り柄
４  下握り柄
５  支持脚
６  支持脚
【図１】
0003229775.tif 000003
【図２】
0003229775.tif 000004
【図３】
0003229775.tif 000005
【図４】
0003229775.tif 000006